(57)【特許請求の範囲】
【請求項１】
両端を壁パネルの上端に掛けて連結する天井梁と、該天井梁によって保持する天井パネルとを備えてなり、前記天井梁は、ペーパハニカムの芯材の両面に鋼板の表面材を接着して形成し、前記天井パネルは、前記天井梁の下端縁に付設する係合材に一端を係合させて保持することを特徴とする間仕切り空間の天井構造。
【請求項２】
前記天井梁は、連結金具を介して連結する複数のユニットパネルに分割することを特徴とする請求項１記載の間仕切り空間の天井構造。
【請求項３】
前記連結金具は、隣接する前記ユニットパネルの間に差し込んで前記天井梁のキャンバを発現させる舌片を有することを特徴とする請求項２記載の間仕切り空間の天井構造。
【請求項４】
前記各ユニットパネルは、四周に補強材を内装することを特徴とする請求項２または請求項３記載の間仕切り空間の天井構造。
【発明の詳細な説明】
【技術分野】
【０００１】
この発明は、たとえば広い工場などの建屋内を仕切って天井付きの間仕切り空間を作る際に好適に利用することができる間仕切り空間の天井構造に関する。
【背景技術】
【０００２】
工場などの建屋内に壁パネルを立て回して天井付きの間仕切り空間を作り、内部を事務室などとして使用することが少なくない。
【０００３】
このような間仕切り空間の天井部は、周囲の壁パネルと同様の天井パネルによって構成するのが普通である。天井部の天井パネルは、間仕切り空間の面積に応じて多数枚を連結して保持することが必要であり、たとえば、間仕切り空間の上部を横切るようにしてスチールのトラス構造や型鋼材の天井梁を配設し、この天井梁を介して天井パネルを保持することが行われている（特許文献１、２）。
【特許文献１】特開平１１−３０３２１３号公報
【特許文献２】特開２００６−２５７８０４号公報
【発明の開示】
【発明が解決しようとする課題】
【０００４】
かかる従来技術によるときは、トラス構造や型鋼材の天井梁は、一体の長尺材であるから、大重量になり、取扱いが極めて面倒であるという問題が避けられない。
【０００５】
そこで、この発明の目的は、かかる従来技術の問題に鑑み、ペーパハニカムの芯材の両面に鋼板の表面材を接着するフラッシュパネルを使用することによって、天井梁の軽量化を図り、取扱いを容易にすることができる間仕切り空間の天井構造を提供することにある。
【課題を解決するための手段】
【０００６】
かかる目的を達成するためのこの発明の構成は、両端を壁パネルの上端に掛けて連結する天井梁と、天井梁によって保持する天井パネルとを備えてなり、天井梁は、ペーパハニカムの芯材の両面に鋼板の表面材を接着して形成し、天井パネルは、天井梁の下端縁に付設する係合材に一端を係合させて保持することをその要旨とする。
【０００７】
なお、天井梁は、連結金具を介して連結する複数のユニットパネルに分割することができ、連結金具は、隣接するユニットパネルの間に差し込んで天井梁のキャンバを発現させる舌片を有することができる。
【０００８】
また、各ユニットパネルは、四周に補強材を内装してもよい。
【発明の効果】
【０００９】
かかる発明の構成によるときは、天井梁は、ペーパハニカムの芯材の両面に鋼板の表面材を接着するフラッシュパネルであるから、全体として極めて軽量である上、天井パネルを保持するに十分な曲げ強度を有する。なお、天井梁は、間仕切り空間を横切る全体長さを有し、長方形のフラッシュパネルの長辺側を上下にして立て、適当なフック金具を介して両端を壁パネルの上端に掛けて連結する。また、係合材は、天井梁の下端縁に沿って付設し、両側の天井パネルの各先端を左右対称に着脱可能に係合させて保持するものとする。
【００１０】
天井梁は、複数のユニットパネルに分割することにより、輸送時、組立時などにおける取扱いを一層容易にすることができる。ただし、各ユニットパネルは、連結金具を介して必要な全体長さに連結するものとする。
【００１１】
連結金具は、隣接するユニットパネルの間に上から下に差し込む舌片を有することにより、必要な天井梁のキャンバ（ｃａｍｂｅｒ、天井梁にあらかじめ付けておく反り、いわゆる「むくり」をいう、以下同じ）を発現させることができる。なお、キャンバの最適値は、天井梁の全体長さによって左右されるが、たとえば長さ２７００mmのユニットパネル３枚を連結して全体長さ８１００mmの天井梁とする場合、２箇所の連結部分の各連結金具の下向きの舌片の厚さ２．３mmとして、天井梁の中間点において上向き約２５mmのキャンバを容易に実現することができる。
【００１２】
各ユニットパネルは、四周に補強材を内装することにより、必要な強度を一層容易に実現することができる。ただし、四周の補強材は、それぞれ板材を芯材の厚さと同一高さのチャンネル状に折り曲げて形成し、芯材の両面の表面材によって隠蔽することが好ましい。
【発明を実施するための最良の形態】
【００１３】
以下、図面を以って発明の実施の形態を説明する。
【００１４】
間仕切り空間の天井構造は、天井梁１０と、天井梁１０によって保持する天井パネル２１、２１…とを備えてなる（図１）。ただし、図１において、間仕切り空間は、天井パネル２１、２１…、壁パネル２２、２２…による構造体２０の内部空間として形成されている。
【００１５】
構造体２０は、間仕切りパネルとしての壁パネル２２、２２…を四周に立て回し、天井パネル２１、２１…による天井部を壁パネル２２、２２…の上部に付設して構成されている。なお、各壁パネル２２には、必要に応じて、ガラス窓２２ｅを設けることができ、出入口用のドア２２ｆを組み込むことができる。また、ドア２２ｆには、ガラス窓２２ｇ、ガラリ２２ｈを組み込むことができる。
【００１６】
天井梁１０は、連結金具１２、両面の連結板１３、１３を介し、複数の長方形のユニットパネル１１、１１…を連結して構成されている（図２、図３）。ただし、図２、図３には、それぞれ片面の連結板１３のみが図示されている。また、天井梁１０の両端には、それぞれフック金具１４が装着されており、各ユニットパネル１１の下端縁には、天井パネル２１、２１…を保持する係合材１５が付設されている。そこで、天井梁１０は、フック金具１４、１４を介して両端を壁パネル２２、２２の上端に掛けて連結することにより、構造体２０を横切るようにして壁パネル２２、２２…の上部に装着することができる（図１、図３）。なお、図２、図３には、連結金具１２、連結板１３がそれぞれ同一に図示されていないが、これらは、図２、図３のいずれの形態であってもよいものとし、以下、主として図３の形態について説明する。
【００１７】
各ユニットパネル１１は、ペーパハニカムの芯材１１ａの両面に鋼板の表面材１１ｂ、１１ｂを接着する長方形のフラッシュパネルである（図３、図４）。なお、芯材１１ａの四周には、芯材１１ａの厚さと同一高さのチャンネル状の補強材１１ｃ、１１ｃ…が装着されている。上下の補強材１１ｃ、１１ｃは、いずれも下向きに配置されており、左右の補強材１１ｃ、１１ｃは、互いに相対向するようにして、いずれも内向きに配置されている。また、表面材１１ｂ、１１ｂは、上の補強材１１ｃの外側を覆うようにして屈曲させ、下の補強材１１ｃの下端縁に沿って内向きに折り曲げられており、左右の補強材１１ｃ、１１ｃを含むすべての補強材１１ｃ、１１ｃ…は、表面材１１ｂ、１１ｂによって隠蔽されている。
【００１８】
ユニットパネル１１、１１…を連結する各連結金具１２は、隣接するユニットパネル１１、１１の上端に共通に嵌合させる下向きチャンネル状の部材である（図４、図５）。なお、連結金具１２の内部には、ユニットパネル１１、１１の間に差し込む舌片１２ａが連結金具１２を横切るようにして垂設されている。そこで、隣接するユニットパネル１１、１１は、ボルト１２ｂを介して下部を連結するとともに、両者間に舌片１２ａを上から差し込みながら連結金具１２を共通に嵌合させ、ボルト１２ｃ、１２ｃ…、小ねじ１２ｄ、１２ｄ…を介して固定することにより、天井梁１０に所定のキャンバを発現させることができる。
【００１９】
なお、下のボルト１２ｂは、ユニットパネル１１、１１の左右の補強材１１ｃ、１１ｃの下端部を密着させる。また、連結金具１２用のボルト１２ｃ、１２ｃ…、小ねじ１２ｄ、１２ｄ…は、上の補強材１１ｃ、１１ｃに対応することにより、舌片１２ａを挟むようにして、連結金具１２を介して上の補強材１１ｃ、１１ｃを強固に連結する。ただし、舌片１２ａは、上の補強材１１ｃ、１１ｃの下端縁を越え、左右の補強材１１ｃ、１１ｃの上端より下方にまで垂下するものとする。また、連結板１３、１３は、それぞれ左右の補強材１１ｃ、１１ｃに対応するボルト１３ａ、１３ａ、小ねじ１３ｂ、１３ｂを介してねじ止めされ、ユニットパネル１１、１１の連結部分を必要十分に補強する。
【００２０】
各天井パネル２１は、ペーパハニカムの芯材２１ａの両面に鋼板の表面材２１ｂ、２１ｂを接着する長方形のフラッシュパネルである（図３、図４）。また、各壁パネル２２も、ペーパハニカムの芯材２２ａの両面に鋼板の表面材２２ｂ、２２ｂを接着する長方形のフラッシュパネルである。
【００２１】
天井梁１０の両端のフック金具１４、１４は、それぞれユニットパネル１１の先端部に上から嵌合させる本体部１４ａと、壁パネル２２の上端に嵌合させるフック部１４ｂとを一体に組み合わせて構成されている（図３、図６）。なお、フック部１４ｂは、本体部１４ａの先端に直角に接合されている。本体部１４ａは、ユニットパネル１１の両側に同一幅で垂下する対称の下向きチャンネル状であり、フック部１４ｂは、壁パネル２２の内側、外側にそれぞれ本体部１４ａと同一幅で垂下し、それより小さい幅で垂下する非対称の下向きチャンネル状である。
【００２２】
壁パネル２２の上端には、スペーサ材２２ｃを介してレール材２２ｄが嵌合されている。そこで、フック金具１４は、ボルト１４ｃ、１４ｃ、小ねじ１４ｄ、１４ｄを介して本体部１４ａをユニットパネル１１側に固定するとともに、フック部１４ｂをレール材２２ｄの上から嵌合させて小ねじ１４ｅ、１４ｅを介して止めることにより、天井梁１０の一端を壁パネル２２の上端に掛けて連結することができる。なお、スペーサ材２２ｃ、レール材２２ｄは、複数の壁パネル２２、２２…に共通に連続するものとし、フック金具１４のフック部１４ｂから外れる位置では、小ねじ１４ｅ、１４ｅに代える図示しない１列の小ねじを介してねじ止めされている。また、天井梁１０と壁パネル２２との間には、Ｌ字状の補強用の連結板１６、１６がユニットパネル１１の両面に装着されている。ただし、図３、図６には、一方の連結板１６のみが図示されている。
【００２３】
各ユニットパネル１１の下端縁に沿って付設する係合材１５は、上向きのフランジ壁１５ａ、１５ａを上部に有し、水平のフランジ壁１５ｂ、１５ｂを下端に有する押出形材である（図４）。係合材１５は、上向きのフランジ壁１５ａ、１５ａをユニットパネル１１の下から嵌合させた上、下の補強材１１ｃにねじ止めされている。各フランジ壁１５ａの下端には、内側に傾斜する下向き三角形の係止部１５ｃが形成されており、係止部１５ｃには、天井パネル２１の先端にねじ止めする補助材２１ｃを下から係合させることができる。そこで、各天井パネル２１は、水平のフランジ壁１５ｂ上に先端部を掛け、補助材２１ｃを介して係合材１５に着脱可能に係合させることにより、天井梁１０によって保持することができる。
【００２４】
各天井パネル２１は、一方の短辺側を天井梁１０によって保持するように配列されている（図１）。そこで、隣接する天井パネル２１、２１の長辺側は、断面ほぼＨ字状の押出形材の連結材２１ｄを介して連結し（図３、図６）、各天井パネル２１の壁パネル２２、２２…の表面と直交する長辺側、短辺側は、それぞれ壁パネル２２、２２…にねじ止めするチャンネル状の係合材２１ｅに係合させてねじ止めする。なお、天井パネル２１、２１…は、壁パネル２２、２２…との間に、組立時の寸法調節用の隙間ｄを設けている。天井梁１０の各先端と、対応する壁パネル２２との間についても同様である。また、図７には、天井梁１０について、ユニットパネル１１、１１の連結部分、壁パネル２２との連結部分が模式的に図示されている。
【００２５】
天井梁１０は、左右の補強材２３、２３…を介し、天井梁１０と平行な壁パネル２２、２２…と連結されている（図１、図８（Ａ））。角筒材の補強材２３の両端は、それぞれＬ字状の連結金具２３ａ、２３ａを介して壁パネル２２、ユニットパネル１１に連結されている。なお、補強材２３の両端は、それぞれ天井梁１０用のフック金具１４のフック部１４ｂに倣って、壁パネル２２、ユニットパネル１１の上端に掛けて連結してもよい。また、構造体２０の一方の対角線上のコーナ部には、それぞれ斜めの補強材２４が装着されている（図１、図８（Ｂ））。アングル材の補強材２４は、直交する壁パネル２２、２２の上端を斜めに連結している。また、構造体２０の各コーナ部には、壁パネル２２、２２の外側の角部に目地材２５が装着されている。
【００２６】
構造体２０は、必要十分な全体強度を有し、高性能の天井付きの間仕切り空間を手軽に実現することができる。天井梁１０は、ペーパハニカムの芯材のフラッシュパネルを利用し、複数のユニットパネル１１、１１…に分割することにより、大幅な軽量化を図り、取扱い性を向上させることができるからである。また、構造体２０は、必要に応じて簡単に分解し、移設することも容易である。
【００２７】
以上の説明において、構造体２０の天井パネル２１、壁パネル２２は、それぞれの表面材２１ｂ、２２ｂを鋼板以外の木質系に代えてもよい。なお、必要に応じて任意の面積の間仕切り空間を作るために、天井梁１０は、単一のユニットパネル１１から形成してもよく、任意の複数枚のユニットパネル１１、１１…を連結して形成してもよく、さらに、必要に応じて２本以上を併用してもよい。
【図面の簡単な説明】
【００２８】
【図１】使用状態模式斜視図
【図２】全体模式斜視図
【図３】使用状態要部拡大正面図
【図４】図３のＸ−Ｘ線矢視相当拡大断面図
【図５】図３の要部拡大説明図（１）
【図６】図３の要部拡大説明図（２）
【図７】図１の要部拡大模式図
【図８】図１の要部拡大模式説明図
【符号の説明】
【００２９】
１０…天井梁
１１…ユニットパネル
１１ａ…芯材
１１ｂ…表面材
１１ｃ…補強材
１２…連結金具
１２ａ…舌片
１５…係合材
２１…天井パネル
２２…壁パネル
特許出願人          小松ウオール工業株式会社
代理人  弁理士                松  田  忠  秋
【図１】
0004980836.tif 000002
【図２】
0004980836.tif 000003
【図３】
0004980836.tif 000004
【図４】
0004980836.tif 000005
【図５】
0004980836.tif 000006
【図６】
0004980836.tif 000007
【図７】
0004980836.tif 000008
【図８】
0004980836.tif 000009